(57)【特許請求の範囲】
【請求項１】
ハウジング（２）と、該ハウジング（２）から突出する押圧作用部（１６）と、フィルムが載せられた細条ベース（７）を繰り出す供給リール（５）及び上記細条ベース（７）を巻き取る巻取リール（６）が装着されるべく上記ハウジング（２）内に配された軸受部材（１９，２１）とを備え、
上記供給リール（５）及び巻取リール（６）を、該供給リール（５）及び巻取リール（６）が上記軸受部材（１９，２１）に装着される際における相互配置関係と実質的に同じ相互配置関係をとらせて収容した組付補助手段（３０）が用いられて、上記ハウジング（２）に上記供給リール（５）及び巻取リール（６）が組み付けられ、供給リール（５），巻取リール（６）及び細条ベース（７）の交換が行われるものとされ、
上記組付補助手段（３０）が、支持部材（３５）から突出する、上記供給リール（５）のフランジ（２６）の外周に対応する円周上に配されて、該供給リール（５）のフランジ（２６）の外周に当接して上記供給リール（５）についての位置決めを行う少なくとも３個の第１の突出部材（３７）と、上記巻取リール（６）のフランジ（２７）の外周に対応する円周上に配されて、該巻取リール（６）のフランジ（２７）の外周に当接して上記巻取リール（６）についての位置決めを行う少なくとも３個の第２の突出部材（３８）と、上記第１及び第２の突出部材（３７，３８）の夫々より短いものとして配されて、上記供給リール（５）及び巻取リール（６）が載せられる複数のスペーサ部材（３９）と、上記押圧作用部（１６）と協働する案内部材（３４）とを有して構成され、
上記組付補助手段（３０）が上記ハウジング（２）に上記供給リール（５）及び巻取リール（６）を組み付けるため上記軸受部材（１９，２１）上に置かれたとき、上記供給リール（５）から繰り出される上記細条ベース（７）から上記フィルムを剥離させて対象物へと送り出す状態を得べく、上記案内部材（３４）が、上記供給リール（５）から上記巻取リール（６）へと伸びる上記細条ベース（７）に上記押圧作用部（１６）を巡る環状部を形成させ、その後、上記組付補助手段（３０）が上記軸受部材（１９，２１）上から除去されることを特徴とする細条ベースからフィルムを送り出す装置。
【請求項２】
上記第１及び第２の突出部材（３７，３８）の夫々と上記スペーサ部材（３９）の夫々との間の長さの差が、上記供給リール（５）及び巻取リール（６）の夫々の軸方向の寸法より大とされることを特徴とする請求項１記載の細条ベースからフィルムを送り出す装置。
【請求項３】
上記第１及び第２の突出部材（３７，３８）の夫々と上記スペーサ部材（３９）の夫々とが、一体形成されることを特徴とする請求項１または請求項２記載の細条ベースからフィルムを送り出す装置。
【請求項４】
上記押圧作用部（１６）が、頂点（１６ａ）もしくは案内面を形成する端部において出会う二つの境界面を有した三角形状を成すものとされ、上記案内部材（３４）が、上記押圧作用部（１６）における境界面によって形成される空間と実質的に同じ形状の空間を形成する二つの側壁部材（３４ａ，３４ｂ）により形成されて、上記細条ベース（７）に形成させる環状部を、上記細条ベース（７）が実際に使用されるとき形成する環状部に対応するもの、もしくは、上記細条ベース（７）が実際に使用されるとき形成する環状部より大なるものとなすことを特徴とする請求項１から請求項３までのいずれかに記載の細条ベースからフィルムを送り出す装置。
【請求項５】
協働する位置決め部（４１ａ，４１ｂ）を含んで成る位置決め手段（４１）が、上記組付補助手段（３０）と上記供給リール（５）及び巻取リール（６）を収容する上記ハウジング（２）との間に設けられることを特徴とする請求項１から請求項４までのいずれかに記載の細条ベースからフィルムを送り出す装置。
【発明の詳細な説明】
【技術分野】
【０００１】
この発明は、特許請求の範囲に記載されたとおりの、供給リールから繰り出されるフィルムが載せられた細条ベースからフィルムを対象物へと送り出すための、細条ベースからフィルムを送り出す装置に関する。
【背景技術】
【０００２】
この種の細条ベースからフィルムを送り出す装置にあっては、細条ベースに載せられたフィルムの全長、従って、保持具の容積は、保持具内に配されるフィルム供給手段を形成する細条ベースの全長によって決定される。フィルム供給手段は、フィルムが使い果たされた後には交換されることになる。フィルム供給手段の交換の一つの方法は、細条ベースを繰り出す供給リール，細条ベースを巻き取る巻取リール及び細条ベースを含む全体を交換してしまうことであるが、この方法は実用的でない。何故なら、細条ベースが巻かれていない供給リール及び巻取リールは扱い難く、取り分け、それらの保持具のハウジングへの組込みが面倒であるからである。即ち、使い切った細条ベースをそれが巻かれた供給リール及び巻取リールと共に取り外すことは、それらは使い捨てられるだけであるので、比較的簡単であるが、供給リール，巻取リール及び細条ベースを保持具のハウジングに組み込むことは、保持具の適正な機能を阻害することになる誤取付けを生じ易く、容易ではない。このような問題に対する一つの解決策は、供給リール，巻取リール及び細条ベースを内蔵した交換カセットを用意し、斯かる交換カセットを、それに内蔵された細条ベース上のフィルムが使い果たされる毎に交換することである。このような交換カセットが用いられる細条ベースからフィルムを送り出す装置は、例えば、ドイツ特許出願である特許文献１に記載されている。この従来知られた細条ベースからフィルムを送り出す装置に用いられる交換カセットは、供給リール及び巻取リールを細条ベースと共に内蔵するだけでなく、細条ベースをフィルムが配されるべき対象物に押し当てる押当て部材を含んでいる。この押当て部材は、細条ベースからフィルムを送り出す装置のハウジングからその外部に突出し、フィルムがそれが配されるべき対象物に向けて送り出されるに際しては、その外周に沿って細条ベースが回動せしめられる。
【０００３】
上述の従来知られた細条ベースからフィルムを送り出す装置は、それにおける供給リール，巻取リール及び細条ベースが交換される度に、細条ベースを伴った供給リール及び巻取リールだけでなく、押当て部材及びそれに関連する取付部品を含んだ交換カセット自体が交換されて、捨てられることになるので、不必要な資源消費をまねいている。
【特許文献１】
ドイツ特許出願：ＤＥ３６４４９４６Ｃ２号
【発明の開示】
【発明が解決しようとする課題】
【０００４】
この発明の目的は、上述の如くのフィルムが載せられた細条ベースを伴った供給リール及び巻取リールの交換を、容易かつ安価に行うことができる、供給リールから繰り出される細条ベースからフィルムを対象物へと送り出すための、細条ベースからフィルムを送り出す装置を提供することにある。
【課題を解決するための手段】
【０００５】
斯かる目的は、本願の特許請求の範囲における請求項１に記載された特徴ある構成とされる、この発明に係る細条ベースからフィルムを送り出す装置によって達せられる。この発明に係る細条ベースからフィルムを送り出す装置にあっては、フィルムが載せられた細条ベースを繰り出す供給リール，その細条ベースを巻き取る巻取リール、及び、供給リールから繰り出されて巻取リールに巻き取られる細条ベースの交換にあたり、斯かる供給リール，巻取リール及び細条ベースに、それらがハウジング内においてとる相互配置関係と実質的に同じ相互配置関係をとらせる組付補助手段が用いられる。この組付補助手段は、支持部材から突出する、供給リールのフランジの外周に対応する円周上に配されて、当該供給リールのフランジの外周に当接して供給リールについての位置決めを行う少なくとも３個の第１の突出部材と、巻取リールのフランジの外周に対応する円周上に配されて、当該巻取リールのフランジの外周に当接して巻取リールについての位置決めを行う少なくとも３個の第２の突出部材と、第１及び第２の突出部材の夫々より短いものとして配されて、供給リール及び巻取リールが載せられる複数のスペーサ部材と、細条ベースに対する案内部材とを有したものとされる。このような組付補助手段が用いられるもとにあっては、少なくとも３個の第１の突出部材，少なくとも３個の第２の突出部材，複数のスペーサ部材及び案内部材によって、供給リール，巻取リール及び細条ベースをそれらがハウジング内においてとる相互配置関係と実質的に同じ相互配置関係をもって保持した組付補助手段から、供給リール，巻取リール及び細条ベースが、その相互配置関係を維持したまま、ハウジング内に設けられた軸受部及び位置決め部へと移されて、供給リール，巻取リール及び細条ベースの交換が行われる。このように、組付補助手段は、少なくとも３個の第１の突出部材，少なくとも３個の第２の突出部材，複数のスペーサ部材及び案内部材によって、供給リール，巻取リール及び細条ベースに、それらがハウジング内においてとる相互配置関係と実質的に同じ相互配置関係をとらせるとともに、ハウジング内においてとる相互配置関係と実質的に同じ相互配置関係をとるものとされた供給リール，巻取リール及び細条ベースを、そのままハウジング内における動作位置に移すことができる手段として作用する。
【発明の効果】
【０００６】
そして、この発明に係る細条ベースからフィルムを送り出す装置によれば、次のような利点が得られる。先ず、フィルムが載せられた細条ベースを繰り出す供給リール，その細条ベースを巻き取る巻取リール、及び、供給リールから繰り出されて巻取リールに巻き取られる細条ベースの交換にあたって用いられる組付補助手段は、交換カセットの場合の如くに所定の安定性を有し、かつ、所定の機能上の要求を満たすものである必要がなく、単に供給リール，巻取リール及び細条ベースを特定の配置関係に保つだけの役割を果たすものであって、簡単で軽量な構成を有した一時的な装置として形成され得るものであるので、資源消費を大幅に低減させることができる。また、組付補助手段は、供給リール，巻取リール及び細条ベースを収容するパッケージ手段を兼ねるものとされ得るので、供給リール，巻取リール及び細条ベースに対する別段のパッケージ手段を省略することができる。供給リール，巻取リール及び細条ベースを伴った組付補助手段は、そこから供給リール，巻取リール及び細条ベースがハウジング内に挿入されることになる送出開始位置に、いろいろな方法で配され得るものとされ、例えば、組付補助手段を送出開始位置に見えるようにして並べることができる。斯かる際には、組付補助手段にマークあるいはエッジの如くの特定の目印が設けられ、それがハウジングに設けられた対応するマークあるいはエッジと照合されることにより、組付補助手段が正しい送出開始位置に配されたか否かが認識される。さらに、例えば、差込ソケット等の位置決め手段をハウジングと組付補助手段との間に設けることもでき、それにより、組付補助手段を正しい送出開始位置に配されるようになすにあたり、組付補助手段を位置決め手段に差し込むだけで済むという実利を得ることができる。
【０００７】
さらに、この発明に係る細条ベースからフィルムを送り出す装置にあっては、供給リール，巻取リール及び細条ベースがハウジング内における動作位置に配されたもとでは、細条ベースは、押当て部材に沿ってアーチ型の環状部を形成するように走行し、細条ベースにより形成されるアーチ型の環状部は、押当て部材上を滑動するものとされる。このようにするため、組付補助手段が有する案内部材は、供給リール及び巻取リールがハウジング内に移されるとき、細条ベースにより形成される環状部を位置決めし、押当て部材上に配されるものとされる。これに関連して、組付補助手段が有する案内部材は、組付補助手段の外部あるいは内部、望ましくは内部において、細条ベースにより形成される環状部を支持するものとされてもよい。このように細条ベースにより形成される環状部が案内部材により支持される場合には、細条ベースにより形成される環状部のハウジング内への移行が安定に行われ、何等の困難を伴うことなく、押当て部材上に配され得ることになる。斯かる組付補助手段が有する案内部材は、望ましくは、細条ベースにより形成される環状部における楔型部分が形成されて、それが別段の困難を伴うことなく押当て部材上に配されるものとなるようにする、押当て部材に適合した形状を有するものとされる。そして、組付補助手段が有する案内部材は、供給リール及び巻取リールからの長さが、押当て部材より幾分大とされ、それにより、細条ベースにより形成される環状部がある程度の“遊び”をもって押当て部材を包囲するものとされる。斯かる細条ベースにより形成される環状部における“遊び”は、何の問題も生じない。何故なら、この“遊び”は、手動で巻取リールを僅かに回転させることによって無くすことができ、そうでなければ、巻取リールが細条ベースの移動速度より大なる巻取速度をもって駆動されることにより、この発明に係る細条ベースからフィルムを送り出す装置が使用される際に自動的に無くされるからである。
【０００８】
供給リール，巻取リール及び細条ベースがハウジング内に移された後においては、組付補助手段は、ハウジング内から除去されて、中身が詰まっていない構造部品として処分されるか、あるいは、再び供給リール，巻取リール及び細条ベースが載せられて再利用されるかの途が選択される。
【０００９】
この発明、さらには、この発明により得られる利点については、以下に、図面にあらわされた好ましい実施例が参照されるもとで、より詳細に記述される。
【発明を実施するための最良の形態】
【００１０】
この発明を実施するための最良の形態は、以下に述べられるこの発明についての実施例をもって説明される。
【実施例】
【００１１】
図１及び図２に示されるこの発明に係る細条ベースからフィルムを送り出す装置の例にあっては、手で持つのに都合のよい大きさとされた箱型のハウジング２が備えられている。ハウジング２は、互いに平行に対向配置された一対の平板状部３と、一対の平板状部３の間において、各平板状部３の周縁部分に沿って配された周壁部４とを含んで構成されており、把持具が実際の使用に供されるにあたっては、例えば、一対の平板状部３が立てられることになる姿勢におかれる。フィルム供給手段を形成する細条ベース７を伴った供給リール５及び巻取リール６，押当て部材８、及び、供給リール５及び巻取リール６に対する駆動手段９が、押当て部材８の一部がハウジング２外に突出するようにして、ハウジング２内の空間に配置される。
【００１２】
ハウジング２は、平板状部１１（３）及び周壁部１２（４）を含んで成る有底容器状部分（下方部分）２ａと、平板状部１１に対向する平板状部１３（３）を含んで成る蓋状部分（上方部分）２ｂとの二つの部分が組み合わされて構成される。有底容器状部分２ａと蓋状部分２ｂとは、ヒンジ１５によって相互連結され、ロッキング手段１４によって有底容器状部分２ａにおける開口側が蓋状部分２ｂにより閉じられた状態にロックされる。ヒンジ１５は、望ましくは、ハウジング２における、ハウジング２を介在させて押当て部材８に対向する位置に配される。
【００１３】
押当て部材８は、楔形の押圧作用部１６として形成され、楔形先端部１６ａを周壁部１２に設けられた開口１７を通じてハウジング２の外部に突出させて、ハウジング２を形成する二つの部分のうちの一方に固着される。楔形先端部１６ａの頂点部分は、楔形の二つの背面１６ｂの間の境界を成して周壁部１２の幅方向に伸びる直線状チップ１８を形成している。押圧作用部１６は、ハウジング２を形成する二つの部分のうちの一方と一体に設けられてもよく、また、ハウジング２を形成する二つの部分のうちの一方に、例えば、差込ソケットが用いられて堅固に取り付けられてもよい。
【００１４】
供給リール５及び巻取リール６が装着されるべく、中空軸受部材１９及び２１がハウジング２を形成する一対の対向平板状部のうちの一方に立設される。具体的には、例えば、中空軸受部材１９及び２１は、有底容器状部分２ａにおける周壁部１２に堅固に係合せしめられる周縁部１２ａを有した蓋状部分２ｂに設けられる。また、押圧作用部１６も、蓋状部分２ｂの内側に取り付けられる。図２には、供給リール５及び巻取リール６が蓋状部分２ｂに設けられた中空軸受部材１９及び２１に夫々装着されるとともに、押圧作用部１６が蓋状部分２ｂの内側に取り付けられた状態を、蓋状部分２ｂに係合した有底容器状部分２ａの平板状部１１側から見た状況が示されている。
【００１５】
この発明に係る細条ベースからフィルムを送り出す装置の例が使用される際には、ハウジング２が、ハウジング２の一側から突出する直線状チップ１８が、例えば、支持台上に置かれた紙とされる、フィルムが配されるべき対象物２３上に押し付けられることになるように、若干下向きにされて、所定の位置に置かれる。
【００１６】
細条ベース７には、その上（図１の状態にあっては下方を向いた面の上）に接着フィルム，被覆フィルム、あるいは、着色フィルム等の層であるフィルム層２５が載せられている。細条ベース７は、供給リール５に巻かれており、細条ベースからフィルムを送り出す装置の例が使用される際には、供給リール５の下方側から、押圧作用部１６をその下方の面及び直線状チップ１８を経て巡る環状部を形成して、巻取リール６に巻き取られるべく走行する。使用状態におかれた細条ベースからフィルムを送り出す装置の例が、矢印２４により示される如くに後退移動せしめられると、細条ベース７上のフィルム層２５が、押圧作用部１６とともに、対象物２３上に押し付けられ、対象物２３に張り付けられるとともに細条ベース７から剥がされる。その際、細条ベース７は、供給リール５から引き出され、駆動手段９によって駆動される巻取リール６に巻き取られる。駆動手段９の変速比は、細条ベース７を巻き取っている状態にある巻取リール６の巻取速度が、細条ベース７を繰り出している状態にある供給リール５の繰出速度以上となるように、充分大なるものに選定される。その結果、細条ベース７における供給リール５と巻取リール６との間にある環状部を形成する部分７ａに或る程度の張力が作用することになる、所謂、“巻取リール先行”状態が得られる。これに関連して、駆動手段９は、細条ベース７に作用する張力が所定の値を超えないようにすべく、所定の“スリップ”を生じるものとされる。
【００１７】
駆動手段９は、駆動ベルト、あるいは、供給リール５及び巻取リール６の夫々のフランジ２６及び２７に直接摩擦係合する手段もしくは供給リール５及び巻取リール６の夫々のフランジ２６及び２７に噛み合う手段によって形成され、いずれの場合にも、細条ベース７がそれに作用する張力により損傷を受ける事態を回避するための措置が施される。簡略化を図るため、図においては、駆動手段９は矢印をもって簡単に示されている。供給リール５及び巻取リール６の夫々は、中空の円筒状リールハブ２８、及び、円筒状リールハブ２８の両端の夫々から伸びて広がり、細条ベース７についての繰出スペース及び巻取スペースを形成するフランジ２６及び２７を備えて形成される。
【００１８】
細条ベース７上に配されたフィルムが使い果たされたときには、供給リール５及び巻取リール６は、細条ベース７を伴って、前述された組付け及び位置決め手段から容易に取り外され得るものとされる。
【００１９】
供給リール５，巻取リール６及び細条ベース７を交換すべく、それらをハウジング２内に組み付けるため、組付補助手段３０が用いられる。組付補助手段３０には、未使用の細条ベース７を伴った供給リール５及び巻取リール６が、供給リール５，巻取リール６及び細条ベース７に対する位置決め手段３１，３２及び３３による位置決めがなされるもとで取り付けられ、ハウジング２内においてとる相互配置関係と実質的に同じ相互配置関係をとる状態とされる。供給リール５及び巻取リール６についての位置決め手段３１及び３２は、供給リール５及び巻取リール６の夫々の中心位置を定める役割を果たすものとされる。また、環状部を形成する細条ベース７に対する位置決め手段３３は、細条ベース７における供給リール５と巻取リール６との間にある部分７ａに、それが実際に使用されるとき形成する環状部に対応する環状部、もしくは、それより大なる環状部を形成させるようになす位置決め及び案内部材３４によって形成されている。このようなもとで、供給リール５，巻取リール６及び細条ベース７は、組付補助手段３０からそれにおける一側部を通じて取り外すことができるようにされる。位置決め手段３１，３２及び３３は、支持部材３５により連結されて、１個のユニットを形成する。支持部材３５は、例えば、細長平板状部材とされ、その一方の面から位置決め手段３１，３２及び３３が突出するものとされる。
【００２０】
位置決め手段３１は、例えば、円周上に略１２０度の角度間隔を置いて配された３個のピン部材３７によって形成され、３個のピン部材３７が配される円周は、供給リール５のフランジの外周に対応するものとされる。それにより、供給リール５は、そのフランジの外周縁部を３個のピン部材３７に当接させることによって、中心についての位置決めがなされる。同様に、位置決め手段３２も、例えば、円周上に略１２０度の角度間隔を置いて配された３個のピン部材３８によって形成され、３個のピン部材３８が配される円周は、巻取リール６のフランジの外周に対応するものとされる。それにより、巻取リール６は、そのフランジの外周縁部を３個のピン部材３８に当接させることによって、中心についての位置決めがなされる。位置決め手段３１による位置決めがなされた供給リール５及び位置決め手段３２による位置決めがなされた巻取リール６の夫々は、支持部材３５に接触する状態、あるいは、支持部材３５に設けられたピン部材３７及び３８の夫々より短いスペーサ部材によって支持部材３５から浮かされた状態とされる。斯かるスペーサ部材は、支持部材３５におけるピン部材３７及び３８の夫々と一体に形成されて、ピン部材３７及び３８の夫々の根元に配された肩部３９を成すものとされ、その肩部３９上に、供給リール５のフランジ及び巻取リール６のフランジが載せられる。
【００２１】
３個のピン部材３７は、供給リール５をその外周側から押さえ込むように作用するもの、あるいは、供給リール５との間に僅かな“遊び”が形成され、それにより供給リール５が自重によって３個のピン部材３７の間から滑り出せるようにするものとされる。同様に、３個のピン部材３８も、巻取リール６をその外周側から押さえ込むように作用するもの、あるいは、巻取リール６との間に僅かな“遊び”が形成され、それにより巻取リール６が自重によって３個のピン部材３８の間から滑り出せるようにするものとされる。
【００２２】
組付補助手段３０上に配置された未使用の細条ベース７を伴う供給リール５及び巻取リール６をハウジング２内に組み付けるにあたっては、供給リール５，巻取リール６及び細条ベース７が配された組付補助手段３０が、ハウジング２を構成する有底容器状部分２ａもしくは蓋状部分２ｂに関して移動せしめられて、送出開始位置に移される。供給リール５，巻取リール６及び細条ベース７が配された組付補助手段３０が送出開始位置に配されるときには、未使用の細条ベース７を伴った供給リール５及び巻取リール６が、ハウジング２内においてとるべき相互配置関係をとる状態におかれる。斯かる際、組付補助手段３０は、手によって持たれ、あるいは、目視による位置調整が行われて、ハウジング２内に配された中空軸受部材１９及び２１上に載せられる。そして、斯かる状態のもとで、細条ベース７を伴った供給リール５及び巻取リール６が、それらの自重によって組付補助手段３０から離れて、あるいは、手動操作により組付補助手段３０から離されて、ハウジング２内に移される。その後、組付補助手段３０は、ハウジング２における中空軸受部材１９及び２１上から除去されて、処分される、もしくは、集められて再利用されることになる。
【００２３】
上述の例においては、位置決め及び案内部材３４が、楔形側壁部材３４ａ及び３４ｂから成る楔形部材あるいは中空の楔形部材１０によって形成されている。楔形側壁部材３４ａ及び３４ｂを含んだ楔形部材あるいは中空の楔形部材１０の断面形状は、押圧作用部１６の断面形状に略対応するものとされており、また、楔形部材あるいは中空の楔形部材１０の高さは、細条ベース７が形成する環状部を支持し、その環状部の形状を維持できるようにされている。巻取リール６に向かう細条ベース７における供給リール５と巻取リール６との間にある部分７ａに接する楔形側壁部材３４ｂは、図４に示される如くに、巻取リール６に向って高さが低減していくように形成されるのが好ましい。
【００２４】
組付補助手段３０は、軽量で材料量が少なる構造物であり、安価に製造することができて、処分にあたって資源消費が少で済むものである。即ち、組付補助手段３０は、生産及び使用に際して経済的である。そして、斯かる組付補助手段３０にあっては、プラスチック材料を用いた射出成形による一体形成が可能とされる。
【００２５】
また、上述の例においては、ハウジング２に設けられた位置決め部４１ｂと組付補助手段３０に設けられた位置決め部４１ａとを含んで成るものとされる、さらなる位置決め手段４１が設けられている。位置決め部４１ａ及び４１ｂは、それらの位置が視覚的に相互比較されること、あるいは、両者が相互係合せしめられることにより、ハウジング２に対して組付補助手段３０を適正な位置に配するにあたってその効果が発揮される。
【００２６】
上述の例においては、支持部材３５に２個の円形孔４２が設けられている。これらの円形孔４２の直径は、中空軸受部材１９の寸法に対応するものとされており、望ましくは、中空軸受部材１９の寸法より幾分大とされる。このような円形孔４２を利用した光学的手法による位置検出がなされる場合には、組付補助手段３０の送出開始位置への配置が容易かつ迅速に行われる。位置決め手段４１の他の例は、図３から図７に示される如くのものとされる。この例にあっては、位置決め部４１ａが、２個の互いに離隔して設けられ、蓋状部分２ｂに設けられた２個の受部に係合する突起により、あるいは、押圧作用部１６における一方の面に設けられる非円形突起４３により形成される。押圧作用部１６における一方の面に設けられる非円形突起４３は、それに対応する形状と寸法とをもって支持部材３５に設けられた凹部４４に係合せしめられることにより、蓋状部分２ｂの平板状部１３における押圧作用部１６の位置決めと組付補助手段３０の位置決めとの両方の役割を果たす。
【００２７】
位置決め部４１ａが位置決め及び案内部材３４の近傍に配されていることにより、次のような利点が得られる。即ち、最初に、組付補助手段３０を幾分傾けた状態にして位置決め手段４１を作用させ、その後、組付補助手段３０を蓋状部分２ｂに合体させることができることになる。特に、組付補助手段３０が柔軟性を有した材料で形成されている場合には、位置決め手段４１の部分を少し折り曲げた状態で取り付け、その後、残りの部分を折り返して送出位置に位置させることができることになって、利点は一段と大である。
【００２８】
さらに、支持部材３５は、いくつかの凹部あるいは透孔が設けられて、軽量化と使用材料量の低減とが図られたものとされる。
【００２９】
図８は、ハウジング２を構成する有底容器状部分２ａと蓋状部分２ｂとを解除可能に締結するロッキング手段５１を示す。ロッキング手段５１の中間部は、先端部が係止部５３を形成するものとされた、弾性変位を行うロッキングアーム部材５２とされている。ロッキングアーム部材５２は、有底容器状部分２ａと蓋状部分２ｂとのうちの一方、例えば、有底容器状部分２ａにおける周壁部１２あるいは平板状部１１の内側から突出しており、蓋状部分２ｂに設けられたロッキング端縁部５４の内側、あるいは、蓋状部分２ｂにおける周端縁部２ｃに係合できるだけの長さを有したものとされる。係止部５３は、その外面部分が傾斜面部分５５とされている。この傾斜面部分５５は、蓋状部分２ｂ側に押されて、有底容器状部分２ａにおける周壁部１２に突き当たる蓋状部分２ｂにおける周縁部１２ａに当接したとき、さらに押されるこにより、ロッキングアーム部材５２に、有底容器状部分２ａにおける周壁部１２の内側への弾性変位を生じさせて、蓋状部分２ｂにおける周縁部１２ａの内側に入り込み、係止部５３に、蓋状部分２ｂに設けられたロッキング端縁部５４の内側、あるいは、蓋状部分２ｂにおける周端縁部２ｃに対する弾性力が作用するもとでの係合状態をとらせる。斯かる際、ロッキングアーム部材５２の先端部、即ち、係止部５３は、蓋状部分２ｂに設けられた切欠部５６に係合する。この切欠部５６の幅ｂは、ロッキングアーム部材５２が、切欠部５６に係合した係止部５３に係合を解除させるべく弾性変位するに充分な寸法とされる。このような構成がとられることにより、蓋状部分２ｂに有底容器状部分２ａが締結せしめられてハウジング２が閉状態とされたとき、ロッキングアーム部材５２の先端部を成す係止部５３の外面部分、即ち、この例にあっては傾斜面部分５５が、蓋状部分２ｂの外面から突出することなく、蓋状部分２ｂの外面と共通面内にある外面を形成するようになすことができる。
【００３０】
このような図８に示されるロッキング手段５１においては、それに締結解除状態をとらせるための操作ラグ５７が、ロッキングアーム部材５２の側面部に設けられて、締結方向を示すものとされている。操作ラグ５７は、有底容器状部分２ａにおける周壁部１２に設けられた透孔５８を貫通して周壁部１２の外部に臨むものとされており、その端面部が周壁部１２の外面と共通面内にある外面を形成するようにされている。そして、ハウジング２の外部から操作ラグ５７が押されるとき、締結位置にあったロッキングアーム部材５２が締結解除位置へと移動せしめられ、また、操作ラグ５７が押されなくなると、ロッキングアーム部材５２は、自らの弾性力によって締結位置に戻る。
【図面の簡単な説明】
【００３１】
【図１】この発明に係る細条ベースからフィルムを送り出す装置の例を示す斜視図である。
【図２】この発明に係る細条ベースからフィルムを送り出す装置の例におけるハウジング内を示す平面図である。
【図３】この発明に係る細条ベースからフィルムを送り出す装置の例に用いられる組付補助手段の一例を示す平面図である。
【図４】図３に示される組付補助手段を示す側面図である。
【図５】供給リール，巻取リール及び細条ベースが配された状態にある組付補助手段を示す平面図である。
【図６】図５に示される供給リール，巻取リール及び細条ベースが配された状態にある組付補助手段についての側面図である。
【図７】この発明に係る細条ベースからフィルムを送り出す装置の例のハウジングに対して、供給リール，巻取リール及び細条ベースが配された組付補助手段が送出位置におかれた状態を示す平面図である。
【図８】この発明に係る細条ベースからフィルムを送り出す装置の例のハウジングに設けられたロッキング手段を示す部分分解斜視図である。
【符号の説明】
【００３２】
２・・・ハウジング，３，１１，１３・・・平板状部，４，１２・・・周壁部，５・・・供給リール，６・・・巻取リール，７・・・細条ベース，８・・・押当て部材，９・・・駆動手段，１０・・・楔形部材，１４，５１・・・ロッキング手段，１５・・・ヒンジ，１６・・・押圧作用部，１７・・・開口，１８・・・直線状チップ，１９，２１・・・中空軸受部材，２５・・・フィルム層，２６，２７・・・フランジ，２８・・・円筒状リールハブ，３０・・・組付補助手段，３１，３２，３３・・・位置決め手段，３４・・・位置決め及び案内部材，３４ａ，３４ｂ・・・楔形側壁部材，３５・・・支持部材，３７，３８・・・ピン部材，３９・・・肩部，４１ａ，４１ｂ・・・位置決め部，４２・・・円形孔，４３・・・非円形突起，４４・・・凹部，５２・・・ロッキングアーム部材，５６・・・切欠部，５７・・・操作ラグ，５８・・・透孔
【図１】
0004221735.tif 000002
【図２】
0004221735.tif 000003
【図３】
0004221735.tif 000004
【図４】
0004221735.tif 000005
【図５】
0004221735.tif 000006
【図６】
0004221735.tif 000007
【図７】
0004221735.tif 000008
【図８】
0004221735.tif 000009